(57)【要約】      （修正有）【課題】エアインテークの開閉を確実、且つ容易に、しかも迅速に行う。【解決手段】通風口３と開閉体４と案内部５とを具備したエアインテーク２を備えたシールド１であり、開閉体４は、シールド１に開口された通風口３の両側縁に、案内部５の案内によって上下動可能に係合され、上下動の一方の動作により通風口３を開き、他方の動作により通風口３を閉じるように構成され、案内部５は、開閉体４の左右の一端側に設定された第一中心点Ｐ１を中心とする第一回転と、第一回転の終点から始まる開閉体４の左右の他端側に設定された第二中心点Ｐ２を中心とする第二回転とによる連続した二つの回転による開閉体４の通風口３を開く動作及び閉じる動作を案内する形状を有して、開閉体４側と通風口３側のいずれか一方に配置された係合凹部５Ｂと、他方に配置され、係合凹部５Ｂに係合する係合凸部５Ａとを備えた。【選択図】図２
2015148026.tif 000002
【特許請求の範囲】
【請求項１】
ヘルメットの前面開放部を開閉するシールドにエアインテークを備えたヘルメット用のシールドであって、
前記エアインテークは、通風口と開閉体と案内部とを具備し、
前記開閉体は、前記シールドに開口された前記通風口の両側縁に、前記案内部の案内によって上下動可能に係合され、前記上下動の一方の動作により前記通風口を開き、他方の動作により前記通風口を閉じるように構成され、
前記案内部は、前記開閉体の左右の一端側に設定された第一中心点を中心とする第一回転と、第一回転の終点から始まる前記開閉体の左右の他端側に設定された第二中心点を中心とする第二回転とによる連続した二つの回転による前記開閉体の前記通風口を開く動作及び閉じる動作を案内する形状を有して、前記開閉体側と前記通風口側のいずれか一方に配置された係合凹部と、他方に配置され、前記係合凹部に係合する係合凸部とを備えていることを特徴とするヘルメット用のシールド。
【請求項２】
前記係合凹部は、前記第一中心点を中心とする弧状に形成された下溝と、前記第二中心点を中心とする弧状に形成された上溝とを備え、前記下溝と前記上溝とは、該下溝と上溝とを切替える切替点を介して連続するように接続されていることを特徴とする請求項１記載のヘルメット用のシールド。
【請求項３】
前記係合凸部が前記通風口側に配置され、前記係合凹部が前記開閉体の前記通風口との対面側に配置されていることを特徴とする請求項１又は２記載のヘルメット用のシールド。
【発明の詳細な説明】
【技術分野】
【０００１】
本発明は、オートバイや自動車等の移動器具に乗車する運転者の頭部を保護するために着用するヘルメット用のシールドに関する。
【背景技術】
【０００２】
オートバイや自動車に乗車する際に安全目的のために着用されるヘルメット用のシールドは、ヘルメット着用者の顔面を保護するためのものであり、フルフェースヘルメットの前面開口部を横切って左右両側部に回転自在に支持され、回転することによって、前面開口部を開放・閉鎖するようにされている。
【０００３】
また、このようなシールドには、前面開口部の全閉時におけるヘルメット内部の熱気を抑えるために、外気を導入するエアインテークを備えたものが知られている。
【０００４】
下記、特許文献１に記載のシールドのエアインテークは、シールド側に開口された通風口と、通風口に上下動可能に係合された開閉体を具備し、ヘルメット装着者の指による開閉体の上昇操作により通風口を開き、下降操作により通風口を閉じるように構成されている。
【先行技術文献】
【特許文献】
【０００５】
【特許文献１】実開平６３−５６２２１号公報
【発明の概要】
【発明が解決しようとする課題】
【０００６】
しかしながら、特許文献１に記載の従来技術では、開閉体の上下動による開閉動を繰り返すと、開閉体と通風口との係合部分の摩擦によって開閉体の上下動が行い難くなることがある。また、本来では、開閉体の開閉動をスムースにするための、開閉体と通風口との係合部分のわずかな遊び部分によって、開閉時、開閉体に傾きが生じて、開閉体と通風口との係合部分の接触摩擦が大きくなってしまい、この接触摩擦によって、開閉体の開閉動が行えなくなるという問題があった。
【０００７】
本発明は、このような問題に対処することを課題の一例とするものである。すなわち、エアインテークの開閉を確実、且つ容易に、しかも迅速にできることが本発明の目的である。
【課題を解決するための手段】
【０００８】
このような目的を達成するために、本発明によるヘルメット用のシールドは、以下の構成を少なくとも具備するものである。
【０００９】
ヘルメットの前面開放部を開閉するシールドにエアインテークを備えたヘルメット用のシールドであって、前記エアインテークは、通風口と開閉体と案内部とを具備し、前記通風口は前記シールド側に開口され、前記開閉体は前記通風口の両側縁に前記案内部を介して上下動可能に係合され、上下動の一方の動作により前記通風口を開き、他方の動作により前記通風口を閉じるように構成され、前記案内部は、前記開閉体の左右の一端側に設定された第一中心点を中心とする第一回転と、第一回転の終点から始まる前記開閉体の左右の他端側に設定された第二中心点を中心とする第二回転とによる連続した二つの回転による前記開閉体の前記通風口を開く動作及び閉じる動作を案内する形状を有して、前記開閉体側と前記通風口側のいずれか一方に配置された係合凹部と、前記係合凹部の他方に配置され、前記係合凹部に係合する係合凸部とを備えていることを特徴とするヘルメット用のシールドである。
【図面の簡単な説明】
【００１０】
【図１】本発明の実施形態に係るシールドを実施したヘルメットの正面図である。
【図２】図１の要部拡大図であり、開閉体の全閉状態を示す。
【図３】図２の(III)-(III)線断面図である。
【図４】図３の(IV)-(IV)線断面図である。
【図５】開閉体の第一回転を示す要部拡大図である。
【図６】開閉体の第二回転を示す要部拡大図であり、開閉体の全開状態を示す。
【発明を実施するための形態】
【００１１】
前記係合凹部は、前記第一中心点を中心とする弧状に形成された下溝と、前記下溝と連続し、前記第二中心点を中心とする弧状に形成された上溝とを備えていることが好ましい。
【００１２】
また、前記係合凸部が前記通風口側に配置され、前記係合凹部が前記開閉体の前記通風口との対面側に配置されていることが好ましい。
【００１３】
以下でいう上とは、ヘルメットの頭頂部側であって、下とは、ヘルメットの顎部側である。
【００１４】
以下でいう帽体とは、ヘルメットの最外層を構成するものであり、例えば、強化繊維材(ガラス繊維、カーボン繊維等)に、熱硬化性樹脂材(エポキシ樹脂材、フェノール樹脂材等)を含浸させた強化繊維樹脂材（ＧＦＲＰ、ＣＦＲＰ等）又は、熱可塑性樹脂材（ポリカーボネート等）を用いて、フルフェースヘルメット形状又はオープンフェースヘルメット形状に成型したものである。
【００１５】
以下でいうヘルメットは、着用者の顔面の顎部を除く部分が露出する前面開放部（前面開口部）を備えたフルフェースヘルメット、着用者の顔面の全てが露出するタイプのオープンフェースヘルメットが含まれる。
【００１６】
以下でいうヘルメット用のシールドは、着用者の顔面を保護するものであり、透明又は有色透明、且つ弾性を有する熱可塑性樹脂材（ポリカーボネート等）を用いて所定形状に形成されたものである。
【００１７】
以下、本発明の実施形態に係るヘルメット用のシールド１を図１〜図６に基づいて説明する。本実施形態のシールド１が取り付けられるヘルメットＡは、フルフェースヘルメットである。尚、以下で説明する実施形態は、本発明を限定するものではない。
【００１８】
ヘルメットＡは、ヘルメットＡの最外層を構成し、強化繊維樹脂材でフルフェース型に成型された帽体Ｂの頭部Ｂ１０の内側に、発泡スチロール材、もしくは、この発泡スチロール材と同等の衝撃吸収性能を有する素材を用いて成型された衝撃吸収ライナ(図示せず)と、この衝撃吸収ライナの内側に配設されるウレタン材等でなる頭部パッド(図示せず)と、帽体Ｂの頬部に対応する左右両側部ＢＬ、ＢＲの内側面に着脱自在に装着された頬パッド（図示せず）を備えたものである。
【００１９】
このヘルメットＡには、シールド１が、帽体Ｂの前面開放部Ｂ１を横切って左右両側部ＢＬ、ＢＲに跨がるとともに、帽体Ｂの左右方向に沿う軸心を回転中心として上下方向に回転自在に軸支されており、シールド１を上下回転させることによって、前面開放部Ｂ１の開閉ができるようになっている。
【００２０】
シールド１は、エアインテーク２が具備されており、このエアインテーク２から走行風による外気をヘルメット内に取り入れることによって、ヘルメット内の換気ができるようになっている。
【００２１】
エアインテーク２は、シールド１の上端側の左右二カ所に設けられており、左右ともに、外気を取り入れる通風口３と、通風口３を開閉する開閉体４とが備えられている。
【００２２】
次に、エアインテーク２を具体的に説明するが、このエアインテーク２は左右ともに同構成であるため、以下では、図２〜図５に示すように、片側（左側部ＢＬ側）のエアインテーク２を図示して説明する。
【００２３】
エアインテーク２には、開閉体４の開閉動作を案内する案内部５と、開閉体４の開閉状態を保持する保持部６とが具備されており、開閉体４の開動作によって通風口３を開き、開閉体４の閉動作によって通風口３を閉じるようにされている。
【００２４】
通風口３は、シールド１に開口された貫通口３０と、開閉体４を上下動可能に支持する支持板３Ａによって、開閉体４で開閉される大きさに設定されており、開状態において、シールド１の外側と内側を連通し、外気をシールド１と着用者の顔面との間に入れることができるようになっている。
【００２５】
支持板３Ａには、貫通口３０の高さよりも低くなると共に、貫通口３０の幅よりも狭くなるように、支持板３Ａの下端縁を上方に向かって凹ました凹部３０Ａが設けられており、支持板３Ａをシールド１に取付ける際に、凹部３０Ａを貫通口３０に対面させることによって、開閉体４で開閉される面積の通風口３が形成できるようになっている。
【００２６】
通風口３の左右両側端は、開閉体４に形成されたスライド部４０Ｌ、４０Ｒが開閉方向にスライド可能に係合するスライド案内部３０Ｌ、３０Ｒとして設定されている。
【００２７】
スライド案内部３０Ｌ、３０Ｒの縁は、弧状に形成されており、この弧に沿ってスライド部４０Ｌ、４０Ｒがスライドすることによって、開閉体４の開閉動作が行われるようにされている。
【００２８】
スライド案内部３０Ｌの縁の弧は、後述する第一中心点Ｐ１を中心とする弧であって、後述する案内部５の上溝５０の弧と同心となる弧である。スライド案内部３０Ｒの縁の弧は、後述する第二中心点Ｐ２を中心とする弧であって、後述する案内部５の下溝５１の弧と同心となる弧である。
【００２９】
スライド案内部３０Ｌ、３０Ｒは、凹部３０Ａの幅を貫通口３０の幅よりも狭くすることによって、スライド部４０Ｌ、４０Ｒの係合時及びスライド時に、貫通口３０に接触しないように行う係合面３００Ｌ、３００Ｒが確保されている。
【００３０】
また、スライド案内部３０Ｌ、３０Ｒの上端には、開閉体４の全開時にスライド部４０Ｌ、４０Ｒが適合して嵌合する形状に形成された嵌合凹部３０１Ｌ、３０１Ｒが設けられている。
【００３１】
スライド案内部３０Ｌ、３０Ｒの弧は、後述する案内部５が案内する開閉体４の開閉軌道に沿う形状として形成されている。
【００３２】
支持板３Ａには、案内部５の一方側を構成する係合凸部５Ａと、保持部６の一方側を構成する保持凸部６０とが形成されている。
【００３３】
開閉体４は、通風口３を塞ぐことができる形状に形成されたシャッタ部４１と、シャッタ部４１の裏面側に設けられた前述のスライド部４０Ｌ、４０Ｒと、案内部５の他方側を構成する係合凹部５Ｂと、保持部６の他方側を構成する上側凹部６１及び下側凹部６２とが形成されている。
【００３４】
スライド部４０Ｒは、通風口３の内側からスライド案内部３０Ｒに係合し、スライド部４０Ｌは、通風口３の内側からスライド案内部３０Ｌに係合するものであり、ともに、開閉体４とで係合面３００Ｌ、３００Ｒを挟んで、開閉体４をスライド案内部３０Ｌ、３０Ｒに係合支持する支持板３０２Ｌ、３０２Ｒが設けられている。
【００３５】
スライド部４０Ｌは、スライド案内部３０Ｌの縁に対面すると共に、開閉体４の開閉動作に伴ってスライド案内部３０Ｌの縁に対して接離しながらスライドするスライド面４００を有している。
【００３６】
また、スライド部４０Ｌは、スライド面４００と連続してコーナー部３０Ｂと対面するコーナー面４０１と、コーナー面４０１と連続して通風口３の下端縁の一部と対面する下端面４０２が設けられており、これによって、スライド部４０Ｌの底部に対応する部位の全域がＬ形状になるように形成されている。
【００３７】
スライド部４０ＬのＬ形状によるコーナー面４０１の角度は、コーナー部３０Ｂの角度よりも鋭角であり、図２に示すように、開閉体４の閉状態では、スライド面４００がスライド案内部３０Ｌの縁から離間し、下端面４０２が通風口３の下端縁に接触するようにされている。
【００３８】
また、図５に示すように、開閉体４の第一中心点Ｐ１を中心とする開方向への回転（以下、第一回転という）では、スライド面４００がスライド案内部３０Ｌの縁に接触し、下端面４０２が通風口３の下端縁から離間するようにされている。
【００３９】
ここで、前述の第一中心点Ｐ１は、スライド部４０Ｌの内側コーナー部に設定されており、この第一中心点Ｐ１を中心として、開閉体４が開方向及び閉方向へ回転するようなっている。
【００４０】
スライド部４０Ｒは、スライド案内部３０Ｒの縁に接触するスライド面４０３を有している。
【００４１】
スライド面４０３は、図２、図５、図６に示すように、開閉体４の第一回転の開始から終了までスライド案内部３０Ｒの縁に接触し、スライド案内部３０Ｒの弧に沿うように上方にスライドするようにされている。
【００４２】
開閉体４の第一回転の終了時には、スライド部４０Ｒが嵌合凹部３０１Ｒに嵌合し、嵌合した状態で、開閉体４の第二中心点Ｐ２を中心とする開方向への回転（以下、第二回転という）が可能となる。
【００４３】
嵌合凹部３０１Ｒは、前述の第二中心点Ｐ２となるスライド案内部３０Ｒの終端部から連続する面３１０が、第二中心点Ｐ２を境に図面上左方向へ傾くように形成されており、開閉体４の第一回転の終了時のスライド面４０３が、開閉体４の第二回転の終了時にスライド面４０３に接触するようにされている。
【００４４】
また、嵌合凹部３０１Ｒのスライド案内部３０Ｒの終端部から連続する面の反対側の面３１１は、開閉体４の第一回転の終了時に、スライド面４０３と反対側の面４０３Ａが適合して接触するように形成されており、開閉体４の第二回転の終了時にスライド面４０３の反対側の面４０３Ａが離間するようにされている。
【００４５】
嵌合凹部３０１Ｌは、開閉体４の第二回転の終了時に、スライド部４０Ｌが適合して嵌合するＬ型状に形成されている。
【００４６】
案内部５は、係合凸部５Ａと係合凹部５Ｂとで構成されており、係合凹部５Ｂが係合凸部５Ａに係合すると共に、この係合凸部５Ａに支持されながら上下スライドすることによって、開閉体４の開閉を案内するようにされている。
【００４７】
係合凸部５Ａは、通風口３の上方、且つ支持板３Ａの中央よりもやや帽体Ｂの側部ＢＬ寄りに配置された円筒状のものであり、帽体Ｂの前方に向けて突設されている。
【００４８】
係合凹部５Ｂは、弧状として形成された上溝５０と、上溝５０と上方で連設され、この上溝５０の弧と逆向きの弧状として形成された下溝５１とから構成されている。
【００４９】
上溝５０は、第一中心点Ｐ１を中心とする弧状として形成され、下溝５１は、第二中心点Ｐ２を中心とする弧状として形成されている。
【００５０】
開閉体４の第一回転では、上溝５０が係合凸部５Ａに係合し、上溝５０の弧に沿うように上方にスライドするようにされている。
【００５１】
すなわち、開閉体４の第一回転では、開閉体４が、係合凸部５Ａに係合された上溝５０の弧に沿うように上方にスライドすると共に、スライド部４０Ｒのスライド面４０３
がスライド案内部３０Ｒの弧に沿って上方にスライドするようになっているため、開閉体４の第一回転による開動作をスムースに行うことができる。    
【００５２】
開閉体４の第一回転の限界位置は、スライド部４０Ｒが嵌合凹部３０１Ｒに嵌合した位置であり、この位置において、上溝５０と下溝５１の切替点Ｐ３に係合凸部５Ａが位置すると共に、開閉体４の第二回転が可能な状態となる。
【００５３】
開閉体４の第二回転では、スライド面４００が、スライド案内部３０Ｌの縁に接触した状態で弧に沿って上方にスライドするようにされている。
【００５４】
また、開閉体４の第二回転では、下溝５１が係合凸部５Ａに係合し、下溝５１の弧に沿うように上方にスライドするようにされている。
【００５５】
すなわち、開閉体４の第二回転では、開閉体４が、係合凸部５Ａに係合された下溝５１の弧に沿うように上方にスライドすると共に、スライド部４０Ｒがスライド案内部３０Ｒに係合された状態で、スライド面４００がスライド案内部３０Ｌの弧に沿って上方にスライドするようになっているため、開閉体４の第二回転による開動作をスムースに行うことができる。
【００５６】
このように、開閉体４の全閉状態からの開動作は、開閉体４の第一回転から第二回転へ順次行うことによって行われ、第二回転が終了すると通風口３を全開状態にできる。
【００５７】
開閉体４の全開状態からの閉動作は、開閉体４の第二回転から第一回転へ順次行うことによって行われ、第一回転が終了すると通風口を全閉状態にできる。
【００５８】
開閉体４の開閉動作は、基本的に案内部５の案内によって行われ、具体的には、支持板３Ａに突設された不動の係合凸部５Ａに、開閉体４に設けられた係合凹部５Ｂが係合し、この係合凹部５Ｂの上溝５０及び下溝５１の弧に沿って行われる。
【００５９】
スライド部４０Ｌ、４０Ｒのスライド案内部３０Ｌ、３０Ｒに対する係合は、基本的に、開閉体４の開閉動作中に、開閉体４が通風口３に対して外れないように、開閉体４を支持するものであるが、スライド案内部３０Ｌ、３０Ｒの弧の前述した形状によって、案内部５による開閉体４の開閉動作の案内を補助するのにも寄与するものである。
【００６０】
すなわち、開閉体４の開閉動作は、夫々方向が異なる弧として形成された上溝５０及び下溝５１が、係合凸部５Ａに係合された状態で行われると共に、上溝５０及び下溝５１の弧に沿って行われる。
【００６１】
そのため、開閉体４の開閉動作での、開閉体４の押し上げ操作時及び引き下げ操作時には、開閉体４の第一回転及び第二回転をヘルメットＡの装着者が意識的に行う必要がなく、開閉体４を上方に押し上げる操作及び下方に引き下げる操作のみで、必ず上溝５０の弧に沿って開閉体４の第一回転が行われると共に、下溝５１の弧に沿って開閉体４の第二回転が行われて、通風口３を全開状態及び全閉状態にすることができる。
【００６２】
したがって、開閉体４の開閉操作は、開閉体４を操作する指の位置を変えることなく、開閉体４の第一回転及び第二回転を行うことができ、これによって、開閉体４の開閉を迅速、且つ確実に行うことができる。
【００６３】
スライド部４０Ｌ、４０Ｒ及びスライド案内部３０Ｌ、３０Ｒの形状は、案内部５の案内による開閉体４の開閉動作中の係合を保持できると共に、上下方向へのスライドができる形状であれば、例示した形状に限らない。
【００６４】
シャッタ部４１と支持板３Ａとにわたって、開閉体４の全閉状態及び全開状態を保持する保持部６が設けられている。
【００６５】
保持部６は、支持板３Ａの表面側、且つ通風口３よりも上方に設けられた保持凸部６０と、シャッタ部４１の裏面側の上端側に設けられた上側凹部６１と、下端側に設けられた下側凹部６２とから構成されている。
【００６６】
保持部６は、上側凹部６１が開閉体４の全閉状態で保持凸部６０に嵌合し、下側凹部６２が開閉体４の全開状態で保持凸部６０に嵌合することで、開閉体の全閉状態及び全開状態を保持するようになっている。
【００６７】
保持凸部６０は、開閉体４の全閉状態で上側凹部６１が嵌合でき、開閉体４の全開状態で下側凹部６２が嵌合できる位置に配置されている。
【００６８】
このような保持部６の保持力は、通常の走行による走行風や振動に対して、全開状態及び全閉状態を保持することができる力であって、ヘルメットＡの装着者の開閉操作での保持力を上回る力によって、開閉体４の保持が解除されて開閉動作を行うことができる力である。
【００６９】
次に、エアインテーク２の開閉体４の開閉動作を説明する。ここでは、開閉体４が、全閉状態から全開状態へ、全開状態から全閉状態へ順に移行する動作を説明する。
【００７０】
開閉体４の全閉状態は、保持部６によって保持されており、この保持部６の保持力によって、走行中での開閉体４のガタツキや開方向への動きが防止されている。
【００７１】
第一工程（図５）：全閉状態の開閉体４を装着者の指で押し上げることで、開閉体４の第一回転が行われる。
【００７２】
第二工程（図６）：第一工程から連続し、指の位置を変えることなく、開閉体４を押し上げることで、開閉体４の第二回転が行われ、開閉体４が保持部６によって保持された位置で保持されて通風口３が全開状態となる。
【００７３】
このとき、開閉体４の全開状態は、保持部６によって保持されており、この保持部６の保持力によって、走行中での開閉体４のガタツキや閉方向への動きが防止されている。
【００７４】
開閉体４の開操作時、及び後述の閉操作時での開閉体４に対する指の位置は、いずれの操作でも、開閉体４の中央部、又は中央部付近が好ましい。
【００７５】
第三工程：全開状態の開閉体４を装着者の指で下方に引き下げることで、開閉体４の第二回転（第二工程でいう第二回転の逆方向の回転）が行われる。
【００７６】
第四工程：第三工程から連続し、指の位置を変えることなく、開閉体４を引き下げることで、開閉体４の第一回転（第一工程でいう第一回転の逆方向の回転）が行われ、開閉体４が保持部６によって保持された位置で保持されて通風口３が全閉状態となる。
【００７７】
以上のシールド１によると、エアインテーク２の開閉体４の開閉第一回転及び第二回転によって順次行い、開閉体４の第一回転及び第二回転では、弧状に形成されたスライド案内部３０Ｌ、３０Ｒ及び弧状に形成された案内部５による案内で、開閉体４の開閉動作をスムースに行うことができる。
【００７８】
しかも、開閉体４の開閉操作は、開閉体４に対する装着者の指の位置を変えることなく、しかも、開閉体４が保持部６によって保持されるまで、上方に押し上げる一連の操作及び下方に引き下げる一連の操作を行うことで開閉体４の開閉を行うことができる。
【００７９】
したがって、シールド１は、従来技術において直線運動であった開閉体の動作を、回転運動にすることによって、接触摩擦を低減し、エアインテーク２の開閉を確実、且つ容易に、しかも迅速にできる。
【００８０】
また、シールド１を共用する既存のヘルメットにも、改造等をすることなく、エアインテーク２を備えたシールド１を取付けることができる。
【００８１】
尚、前述の実施形態では、開閉体４の開閉動作が、上方への回転で通風口３を開き、下方への回転で通風口３を閉じる形態として例示したが、開閉体４の開閉動作は、上方への回転で通風口３を閉じ、下方への回転で通風口３を開く形態としてもよい。
【符号の説明】
【００８２】
Ａ：ヘルメット
Ｂ１：前面開放部
１：シールド
２：エアインテーク
３：通風口
４：開閉体
５：案内部
５Ａ：係合凸部
５Ｂ：係合凹部
５０：上溝
５１：下溝
Ｐ１：第一中心点
Ｐ２：第二中心点
【図１】
2015148026.tif 000003
【図２】
2015148026.tif 000004
【図３】
2015148026.tif 000005
【図４】
2015148026.tif 000006
【図５】
2015148026.tif 000007
【図６】
2015148026.tif 000008